(57)【要約】【課題】映像編集装置と、映像表示装置の処理の違いによる色の誤差を埋める容易な方法を提供する。【解決手段】映像を入力する手段と、所定の画像処理パラメータを取得する手段と、前記取得したパラメータを基に画像処理を施す手段と、映像を出力する手段を有する映像表示装置であって、第一の映像の階調特性情報を、前記映像入力手段から取得する第一の取得手段と、第二の映像の階調特性情報を、所定の画像処理を施した後、前記映像出力手段から取得する第二の取得手段と、第一と第二の階調特性情報を比較し、その差分を補正する補正テーブルを作成する補正テーブル生成手段とを有する。【選択図】図２
2016208428.tif 000002
【特許請求の範囲】
【請求項１】
映像を入力する手段と、所定の画像処理パラメータを取得する手段と、前記取得したパラメータを基に画像処理を施す手段と、映像を出力する手段を有する映像表示装置であって、
第一の映像の階調特性情報を、前記映像入力手段から取得する第一の取得手段と、第二の映像の階調特性情報を、所定の画像処理を施した後、前記映像出力手段から取得する第二の取得手段と、第一と第二の階調特性情報を比較し、その差分を補正する補正テーブルを作成する補正テーブル生成手段とを有することを特徴とする映像表示装置。
【請求項２】
前記補正テーブルを記録する記録手段と、ユーザの操作指示を受け付けるユーザ操作入力手段を、更に有する映像表示装置であって、
ユーザの操作指示に基づき、前記記憶手段に記憶されている前記補正テーブルを読み出し、前記画像処理手段に適用することで、第一の映像が入力された際、その階調を、第二の映像の階調に一致させることを特徴とする請求項１に記載の映像表示装置。
【請求項３】
前記補正テーブル作成手段は、所定の画像処理の内、階調変化に関わるパラメータを、所定のステップ幅で順次変化させ、各々のパラメータ値で、左記記載の処理を実行し、複数の補正テーブル（1D-LUT）を作成することを特徴とする請求項１又は請求項２に記載の映像表示装置。
【請求項４】
前記第一の映像、及び第二の映像は、グレー、もしくはRGBいずれかの色成分で構成された所定の階調を有するランプ画像であることを特徴とする請求項１乃至請求項３の何れか一項に記載の映像表示装置。
【発明の詳細な説明】
【技術分野】
【０００１】
本発明は、映像を表示する映像表示装置、及びその制御方法に関するものである。
【背景技術】
【０００２】
近年、映像制作業界では、『メタ情報として流通可能な色調整技術』を使って、撮影工程で調整した映像の色の情報を、メタ情報としてファイル化し、それを編集工程に渡すことで、撮影工程と編集工程の映像の色を一致させるワークフローが採用されつつある。 
【０００３】
具体的な『メタ情報として流通可能な色調整技術』として、CDL（Color Decision List）が挙げられる。CDLとは、ASC（American Society of Cinematographers）によって策定された色調整技術の規格であり、既に多くの市販の映像編集システムが対応している。
【０００４】
CDLの特長の一つは、Slope, Power, Offset, 及びSaturationという４つの基本的な色調整手段を提供しているところである。このうち、Powerは、入力された映像信号に対して、黒レベルと白レベルを維持したまま中間の階調を変化させる手段である。
【０００５】
CDLのもう一つの特長は、色調整した結果を、メタ情報ファイルとして出力するためのファイルフォーマットを規定していることである。これにより例えば、撮影工程で調整した色の情報を、後工程である編集工程に渡し、本格的な編集作業前に、撮影時の色調整の結果を確認することが可能となる。また同時に、撮影時におけるCDLの色調整は、直接映像を加工しないため、編集工程では従来通り、撮影時のオリジナルの映像から編集を開始することができる。
【０００６】
CDLの利点は、例えば、撮影時にカメラマンや監督が意図した色を、編集工程の作業者に正確に伝えることができるところである。以下、CDLのような『メタ情報として流通可能な色調整技術』を単に『色調整技術』と呼ぶ。
【０００７】
色調整技術を用いた映像制作のワークフロー、及びシステム構成の例を紹介する。一般的に、映像制作では、撮影と編集という二つの工程を少なくとも含む。図１５は色調整技術を用いた撮影工程と編集工程のシステム図の例である。撮影工程のシステムは、カメラ７００、映像編集装置８００、映像表示装置９００から成る。編集工程のシステムは、映像サーバ３００、映像編集装置２００、映像表示装置９００から成る。また、撮影工程から編集工程へメタ情報を送信するために、記録メディア４００を有する。撮影と編集の現場が、ファイル転送可能なネットワークで接続されている場合、記録メディア４００は、ネットワークで代替できる。
【０００８】
撮影工程にて、カメラ７００は、撮影した映像を映像編集装置８００に出力する。映像編集装置８００は、映像を編集できる簡易な装置であり、色調整技術に準拠した色調整手段を有する。更に、入力された撮影映像に対して、ユーザが色調整するためのコントローラを有する。映像編集装置８００の具体例として、ＰＣと、その上でＰＣで動作する映像編集ソフトウェアが挙げられる。映像編集装置８００は、ユーザ操作に従って、色調整を行い、その結果を、映像表示装置９００に出力する。また、同時に色調整した結果を、メタ情報として、記録メディア４００にファイル出力する（以下、メタ情報Ｄ１００と呼ぶ）。撮影工程の映像表示装置９００は、入力した信号を表示する。
【０００９】
ここで、カメラ７００が撮影したオリジナルの映像は、一旦、不図示の独立した記録装置に記録される。その後、前記記録装置をハンドキャリーして、もしくはネットワーク経由で、編集工程の映像サーバ３００に蓄積される。
【００１０】
一方、編集工程にて、映像サーバ３００は、撮影工程で撮影された映像を蓄積し、ユーザの指示に従って、映像編集装置２００へ出力する。映像編集装置２００は、映像編集装置８００と同じの手段を有する。また、メタ情報Ｄ１００を入力する手段も有する。更に、編集工程で行う作業を実現する多くの手段も有する。つまり、編集や合成、及びカラーグレーディングの作業に必要な手段を有する。編集工程の映像表示装置９００は、映像編集装置２００から入力した信号を表示する。映像表示装置９００は、撮影工程と同じ表示装置である。
【００１１】
従来、編集工程では、映像編集装置２００に対して、記録メディア４００に記録されたメタ情報Ｄ１００を入力する。そして、その対となる撮影のオリジナル映像を、映像サーバ３００から入力することで、撮影工程で行った色調整の結果を確認することができる。
【００１２】
図１６は色調整技術を用いたワークフロー、及びシステム構成の別の例である。図１６と図１５の違いは、撮影工程、及び編集工程の映像表示装置９０１が、図１５の映像編集装置８００、及び映像表示装置９００が有する手段を内包する点である。その他、カメラ７００、映像サーバ３００、映像編集装置２００、及び記録メディア４００は、図１５と同様である。
【００１３】
撮影工程にて、カメラ７００は、撮影した映像を映像表示装置９０１に直接出力する。
【００１４】
映像表示装置９０１は、映像編集装置８００と映像表示装置９００の手段を有する。そのため、ユーザ操作に従って、色調整を行い、その結果を表示する。また、同時に色調整した結果を、メタ情報として、記録メディア４００にファイル出力する（以下、メタ情報Ｄ１０１と呼ぶ）。編集工程にて、映像サーバ３００は、撮影工程で撮影された映像を蓄積し、ユーザの指示に従って、映像編集装置２００、もしくは映像表示装置９０１へ出力する。映像編集装置２００は、図１５の映像編集装置２００と同様の動作を行う。
【００１５】
編集工程の映像表示装置９０１は、映像編集装置２００から入力した信号、もしくは映像サーバ３００から直接入力した映像を表示する。映像表示装置９０１は、撮影工程と同じの表示装置として記載しているが、異なる表示パネルサイズを有するものであっても良い。
【００１６】
図１６の編集工程にて、撮影工程で行った色調整の結果を確認するには、二つの方法がある。一つは、図１５のワークフローと同様の方法である。つまり、映像編集装置２００に対して、メタ情報Ｄ１０１を入力すると共に、その対となる撮影のオリジナル映像を、映像サーバ３００から入力する方法である。
【００１７】
図１６のシステム構成では、映像表示装置９０１もメタ情報を入力できる手段を有している。このため、もう一つの方法は、撮影工程の映像表示装置９０１に直接、メタ情報Ｄ１０１を入力すると共に、その対となる撮影のオリジナル映像を、映像サーバ３００から直接映像表示装置９０１に入力する方法である。
【００１８】
編集工程にて、撮影工程で行った色調整の結果を、より正確に確認するには、後者の方法が望ましい。撮影工程と編集工程、共に同じ映像表示装置９０１を使用しているため、それぞれの工程で同じ色を再現できる。
【００１９】
一方、前者の方法では、映像編集装置２００内でメタ情報Ｄ１０１に基づき、色調整処理を実施する。そのため、撮影工程における映像表示装置９０１と、編集工程における映像編集装置２００との間で、色調整処理の違いによって、色の差が生じやすくなる。
【００２０】
色調整技術は、一般的に1D、及び3DのLUT（Look Up Table）を用いて実現される。色の差は、LUTの格子点数や、格子点の色成分のbit精度、及び格子点間の補間方法の違いに起因して生じる。こうした色の差は、CDLにおけるPowerの様な階調処理で顕著になる。例えば、映像編集装置２００が、Powerを16個の格子点を持つ1D-LUTで処理し、映像表示装置９０１が、Powerを1024個の格子点を持つ1D-LUTで処理し、各々格子点の間を直線補間した場合、1024点毎の誤差の平均値は約24％になる（1024毎の差分値／映像表示装置９０１の値×100の平均値）。
【００２１】
一方、編集工程では、ほとんどの作業が映像編集装置２００を介して行われる。このため、利便性の観点でみると、メタ情報Ｄ１０１を、映像編集装置２００に入力する方が、編集を行うユーザにとって、作業負担が少ない。実際、図１６のシステム構成では、メタ情報Ｄ１０１が、編集工程の映像表示装置９０１でなく、映像編集装置２００に入力されることが多く、撮影工程と編集工程とで、色の誤差が生じやすくなっていた。
【００２２】
この課題を解決する方法として、映像編集装置２００と映像表示装置９０１の処理の違いによる色の誤差を埋めるプロファイル情報を、予め映像表示装置９０１に用意する方法がある。
【００２３】
特許文献１には、予め入力装置であるデジタルカメラやスキャナの種類、及び出力フィルム機器の種類に応じて、入力プロファイルと出力プロファイルを画像補正装置（映像表示装置含む）の中に保持しておくことで、目標とするフィルムの色を、正確に再現する方法が開示されている。
【先行技術文献】
【特許文献】
【００２４】
【特許文献１】特開２０００−５００９７号公報
【発明の概要】
【発明が解決しようとする課題】
【００２５】
しかしながら、特許文献１は、未知の入力装置から入力された映像に、容易に対応できない。つまり、特許文献１の画像補正装置の場合、未知の入力装置からの映像に対して、目標とする色を再現するには、予め別の装置を用いて、入力プロファイルを作成する。更に、そのプロファイルを画像補正装置内に保存する必要があり、手間がかかっていた。
【００２６】
そこで本発明は、未知の入力装置、つまり未知の映像編集装置２００と、映像表示装置９０１の処理の違いによる色の誤差を埋める容易な方法を提供することを目的とする。
【課題を解決するための手段】
【００２７】
上記の目的を達成するために、本発明の映像表示装置は、映像を入力する手段と、所定の画像処理パラメータを取得する手段と、前記取得したパラメータを基に画像処理を施す手段と、映像を出力する手段を有する映像表示装置であって、第一の映像の階調特性情報を、前記映像入力手段から取得する第一の取得手段と、第二の映像の階調特性情報を、所定の画像処理を施した後、前記映像出力手段から取得する第二の取得手段と、第一と第二の階調特性情報を比較し、その差分を補正する補正テーブルを作成する補正テーブル生成手段とを有することを特徴とする。
【００２８】
また、補正テーブル作成手段は、所定の画像処理の内、階調変化に関わるパラメータを、所定のステップ幅で順次変化させ、各々のパラメータ値で、左記記載の処理を実行し、複数の補正テーブルを作成することを特徴とする。
【００２９】
また、第一の映像、及び第二の映像は、グレー、もしくはRGBいずれかの色成分で構成された所定の階調を有するランプ画像であることを特徴とする。
【発明の効果】
【００３０】
本発明によれば、未知の映像編集装置と、映像表示装置の色調整技術の処理の違いによる色の誤差を埋める容易な装置、及び方法を提供できる。
【図面の簡単な説明】
【００３１】
【図１】本発明の実施例１に係るシステム構成図である。
【図２】本発明の実施例１に係る映像表示装置１００の構成図である。
【図３】入力信号階調解析部１０６、出力信号階調解析部１０７による映像データの階調特性の解析結果例である。
【図４】補正テーブル生成部１０８による補正テーブルの例である。
【図５】記録メディア４００から入力されるメタ情報の例である。
【図６】画質処理部１０７を詳細に示した構成図である。
【図７】色調整処理部１１３を詳細に示した構成図である。
【図８】制御部１１０を詳細に示した図である。
【図９】補正テーブルを作成するシステムフロー図である。
【図１０】補正テーブルを作成するシステムフロー図である。
【図１１】補正テーブルを作成するシステムフロー図である。
【図１２】映像データの種別を示した図である。
【図１３】映像データの例である。
【図１４】映像表示装置１００における補正テーブルの切替フロー図である。
【図１５】色調整技術を用いた撮影工程と編集工程のシステム図の例である。
【図１６】色調整技術を用いた撮影工程と編集工程のシステム図の例である。
【発明を実施するための形態】
【００３２】
以下、本発明の実施例について説明する。本発明の実施例では、映像表示装置として、一般的に普及している液晶映像表示装置を例に挙げて、以下に具体的に説明する。
【００３３】
図１は本発明の実施例１に係る映像表示装置１００を用いた映像制作の編集工程におけるシステム構成図である。図１と従来例である図１６の編集工程との違いは、映像表示装置９０１が、本発明の映像表示装置１００に置き換わったことである。映像サーバ３００、映像編集装置２００、及び記録メディア４００は、図１６と同様である。
【００３４】
図２は本発明の実施例１に係る映像表示装置１００の構成図である。映像表示装置１００は、映像入力部１０２、画質処理部１０３、映像出力部１０４、表示パネル部１０５、入力信号階調解析部１０６、出力信号階調解析部１０７、補正テーブル生成部１０８、メモリ部１０９、制御部１１０、記録メディアＩ／Ｆ部１１１、及びユーザ操作Ｉ／Ｆ部１１２を備える。これらは、各々内部バス１０１によって接続されており、制御部１１０の制御によって動作し、相互にデータを送受信することができる。
【００３５】
映像入力部１０２は、映像サーバ３００、もしくは映像編集装置２００からの映像データを入力する。映像データとは、撮影時のオリジナル映像や編集中の映像を示す。映像入力部１０２は、具体的にはDVI, Displayport, HDMI（登録商標）, SDIなどのストリーム形式の画像を入力するＩ／Ｆである。映像入力部１０２は、内部で処理するための信号形式に変換し、後段の画質処理部１０３、及び入力信号解析部１０６へ出力する。
【００３６】
画質処理部１０３は、映像入力部１０２より出力された映像データに対して、所定の画質処理を施す。画質処理部１０３の中には、色調整技術を処理するための色調整処理部がある。色調整処理部は、少なくとも階調を処理する1D-LUT処理部を含む。詳細は後述する。画像処理部１０３は、先述の処理を映像データに施した後、映像出力部１０４へ出力する。
【００３７】
映像出力部１０４は、画質処理部１０３によって処理された映像データを、後段の出力信号階調解析部１０７へ出力する。まだ、同時に前記映像データを、後段の表示パネル部１０５に表示可能なデータ配列に変換し、同表示パネル部へ出力する。
【００３８】
表示パネル部１０５は、映像出力部１０４から入力された映像データを、所定のフレームレートで表示する。表示パネル部１０５は、液晶とバックライトから成る。バックライトは、白色、もしくはＲＧＢのＬＥＤと、種々の光学フィルタから成る。バックライトは、ＬＥＤではなく蛍光管を用いてもよい。
【００３９】
入力信号階調解析部１０６は、映像入力部１０２より出力された映像データの階調特性を解析し、その解析結果を補正テーブル生成部１０８へ出力する。図３は解析結果の例である。ここでは、1024階調分の信号値が記載される。
ここでは12bitの信号値として表している。これらは、RGB毎の信号値が記載されても良い。
【００４０】
出力信号階調解析部１０７は、映像出力部１０４より出力された映像データの階調特性を解析し、その解析結果を補正テーブル生成部１０８へ出力する。解析結果は、図３と同様の形式である。
【００４１】
補正テーブル生成部１０８は、出力信号階調解析部１０７より得られた解析結果を目標値として、入力信号階調解析部１０６から得られた結果を、出力信号階調解析部１０７の結果に補正するための補正テーブルを生成する。図４は補正テーブルの例である。補正テーブル内の値は、符号付きの差分値を格納した1D-LUTとして格納される。補正テーブル生成部１０８は、生成した補正テーブルをメモリ部１０９へ記録する。
【００４２】
メモリ部１０９は、補正テーブル生成部１０８によって生成された補正テーブルを記録する。また、制御部１１０上で動作する制御プログラムも記録する。更に、制御部１１０が後述のメタ情報を基に生成した色調整テーブルも記録する。メモリ部１０９は、不揮発型の記録装置であり、映像表示装置１００の電源が切れても、記録された補正テーブルは保持される。
【００４３】
制御部１１０は、予めメモリ部１０９に保存されている制御プログラムを実行する。そして、実行された制御プログラムと、後述のユーザ操作Ｉ／Ｆ部１１２から受信したユーザ操作に基づき、各構成部に制御指示を出す。プログラムの具体的な制御として、ユーザ操作に従って、メモリ部１０９に記録されている複数の補正テーブルを取捨選択し、その補正テーブルを画質処理部１０３に適用する。
【００４４】
また、記録メディアＩ／Ｆ部１１１から入力された情報に、色調整技術のメタ情報がある場合、ユーザ操作に従って、前記メタ情報から画質処理部１０３に適用する色調整テーブルを生成する。制御部１１０は、生成された色調整テーブルをメモリ部１０９へ記録する。色調整テーブルの例は、図４の補正テーブル例と同様である。
【００４５】
記録メディアＩ／Ｆ部１１１は、制御部１１０からの制御に基づき、記録メディアに記録されたファイル形式のメタ情報を読み出す。読み出したメタ情報は、制御部１１０へ出力する。記録メディアとは具体的には、ＳＤカードやＣＦカードである。図５は記録メディア４００から入力されるメタ情報の例である。色調整技術の階調情報が、RGB色成分ごとに、数値（階調係数）として記載されている。具体的には、<階調>タグの中に、左から順にR信号2.0, B信号2.2, G信号2.3と乗数が記載される。
【００４６】
ユーザ操作Ｉ／Ｆ部１１２は、ユーザの操作情報を受信し、その情報を制御部１１０に通知する。ユーザ操作情報は、例えば、映像表示装置１００に付随するボタン類を押下することによって発生する。具体的なユーザ操作情報として、電源オンオフ、映像データの入力切替がある。更に、記録メディアにあるメタ情報から色調整テーブルを生成するための操作情報や、メモリ部１０８に記録されているテーブル情報の中から、どのテーブルを画質処理部１０３に適用するか指示する操作情報もある。
【００４７】
ここで画質処理部１０３の詳細を説明する。図６、及び図７は画質処理部１０７を詳細に示した構成図である。画質処理部１０３の中には、色調整技術を処理するための色調整処理部１１３があり、更に、色調整処理部１１３は、少なくとも階調を処理する1D-LUT処理部１１４〜１１６を含む。1D-LUT処理部１１４〜１１６は、RGB色成分毎に、個別の1D-LUTを持つ。各々の1D-LUT処理部ごとに、メモリ部１０９に蓄積されている1D-LUTである補正テーブルや色調整テーブルを適用することができる。
【００４８】
なお、色調整技術には、RGB色成分毎に、黒レベルや白レベルを調整できるものがある。また、彩度や色相、明度を調整できるものもある。そのため、色調整処理部１１３は、1D-LUT処理部の他に、信号のオフセットやゲインを調整する手段や、3D-LUT処理を行う手段を有しても良い。
【００４９】
ここで制御部１１０の詳細を説明する。図８は制御部１１０を詳細に示した図である。制御部１１０の中には、記録メディア部１１１から取得したメタ情報から色調整テーブルを生成する色調整テーブル生成部１１７を有する。先述したとおり、色調整テーブル生成部１１７は、生成して色調整テーブルを、メモリ部１０９へ記録する。
【００５０】
本実施の形態では、映像表示装置１００が上述の構成を持つことで、色調整技術に準拠した色調整を、映像編集装置２００で行った場合と、映像表示装置１００で行った場合とで生じる色の差を補正する。図９、図１０及び図１１は色の差を補正するための補正テーブルを作成するシステムフロー図である。システムフローは、大きく３つの手順を踏む。一つ目は、映像編集装置２００で、色調整技術に準拠した色調整を行った場合の階調特性を、映像表示装置１００が取得するまでのフローである。
【００５１】
二つ目は、映像表示装置１００内で、色調整技術に準拠した色調整を行った場合の階調特性を取得するまでのフローである。最後は、映像表示装置１００が、取得した２つの階調特性から、映像編集装置２００で色調整を行った場合でも、映像表示装置１００で色調整した場合と同一の色を再現できる補正テーブルを作成するまでのフローである。図９から図１１は、先述のそれぞれのフローに対応している。
【００５２】
また、図１３は上記フローの中で登場する映像データの種別を示した図である。映像サーバ３００から映像編集装置２００、及び映像表示装置１００に出力される映像データを映像データＤ２００とする。また、映像編集装置２００から映像表示装置１００に出力される映像データを映像データＤ２０１とする。更に、映像表示装置１００内の画質処理部１０３が出力する映像データを映像データＤ２０２とする。
【００５３】
以下、図９から図１１のフローを説明する。映像サーバ３００は、評価用映像データＤ２００を映像編集装置２００へ出力する（Ｓ１００）。前記評価用映像データは、予め映像サーバ３００に蓄積してある。図１３に当該映像データの例を示した。映像データＤ２００は、静止映像であり、水平方向にグレー、もしくはRGB毎に階調変化がわかるランプ映像である。
【００５４】
映像編集装置２００は、映像サーバ３００から出力された映像データＤ２００を入力する（Ｓ１０１）。その後、記録メディア４００に記録されているメタ情報を取得する（Ｓ１０２）。Ｓ１０２は、Ｓ１０１より前のステップであっても良い。なお、記録メディア４００は、予めユーザによって映像編集装置２００に接続しておく。
【００５５】
次に、映像編集装置２００は、取得したメタ情報に基づき、映像データＤ２００に色調整処理を実施する（Ｓ１０３）。以下、映像編集装置２００によって色調整された映像データをＤ２０１とする。
【００５６】
映像編集装置２００は、市販の編集装置を想定しており、色調整の処理は、各社によって違いがある。例えば、その一つは、階調処理を含めた色調整技術を一つの3D-LUTとして処理するものもある。その場合、映像データＤ２００は、色調整技術に基づいた3D-LUTの入力値になり、その出力結果が、映像データＤ２０１となる。この場合、3D-LUTの格子点数や、格子点の色成分のビット精度、及び格子点間の補間方法などにより、映像データＤ２０１に違いが出てくる。
【００５７】
その後、映像編集装置２００は、映像データＤ２０１を映像表示装置１００へ出力する（Ｓ１０４）。映像表示装置１００は、映像編集装置２００から出力された映像データＤ２０１を入力する（Ｓ１０５）。
【００５８】
前記映像データＤ２０１を入力すると、映像表示装置１００は、映像データＤ２０１から階調特性を取得する（Ｓ１０６）。詳しく述べると、映像入力部１０２によって、入力された映像データＤ２０１は、入力信号階調解析部１０６に出力される。入力信号階調解析部１０６は、ランプ映像である映像データＤ２０１を、水平方向に暗部から明部に向かって所定のステップ幅で、階調の値を記録していく。階調の値の例は、先述した図３参照のこと。
【００５９】
以降、図１０を用いて説明する。映像サーバ３００は、評価用映像データＤ２００を映像表示装置１００へ直接出力する（Ｓ１０７）。この映像データは、Ｓ１００と同様のデータである。
【００６０】
映像表示装置１００は、映像サーバ３００から出力された映像データＤ２００を入力する（Ｓ１０８）。その後、記録メディア４００に記録されているメタ情報を取得する（Ｓ１０９）。Ｓ１０９は、Ｓ１０８より前のステップであっても良い。なお、記録メディア４００は、予めユーザによって映像表示装置１００に接続しておく。
【００６１】
次に、映像表示装置１００は、取得したメタ情報に基づき、映像データＤ２００に色調整処理を実施する（Ｓ１１０）。以下、映像編集装置１００によって色調整された映像データをＤ２０２とする。
【００６２】
より具体的には、Ｓ１０９にて、映像表示装置１００内の制御部１１０は、記録メディア１１１からメタ情報を取得すると、色調整テーブルを作成し、メモリ部１０８に蓄積する。同時に、そのテーブルを、画質処理部１０３に適用する。Ｓ１１０にて、画質処理部１０３は、映像データＤ２０１が入力されると、先述の色調整テーブルを使って、映像データＤ２０２を出力する。
【００６３】
その後、映像表示装置１００は、映像データＤ２０２から階調特性を取得する（Ｓ１１１）。詳しく述べると、画質処理部１０３、及び映像出力部１０４を経て、映像データＤ２０２は、出力信号階調解析部１０７に入力される。出力信号階調解析部１０７は、ランプ映像である映像データＤ２０２を、水平方向に暗部から明部に向かって所定のステップ幅で、階調の値を記録していく。階調の値の例は、先述した図３参照のこと。
【００６４】
以降、図１１を用いて説明する。映像表示装置１００は、Ｓ１０６、及びＳ１１１で取得した階調特性を基に、補正テーブルを作成する（Ｓ１１２）。ここでは、Ｓ１１１で取得した階調特性を目標値として、Ｓ１０６の階調特性を補正する補正テーブルを作成する。作成した補正テーブルは、メモリ部１０８に保存（記録）される（Ｓ１１３）。
【００６５】
これまでの一連のフローは、各色成分、及び階調値毎に行う。例えば、階調のメタ情報として2.20と2.34の二つが記載されている場合、各階調値毎にＳ１００〜Ｓ１１３を行う。なお、この作業を複数回繰り返す場合、まず、Ｓ１００〜Ｓ１０６までのステップを繰り返し、その後、Ｓ１０７~１１１までのステップを繰り返し、最後にＳ１１２〜Ｓ１１３の作業を行っても良い。
【００６６】
図１４は映像表示装置１００における補正テーブルの切替フロー図である。ユーザは、映像サーバ３００内の映像を、映像編集装置２００にて色調整を施して、映像表示装置１００に表示する際、映像表示装置１００に対して、明示的に補正テーブルを切り替える指示を、ユーザ操作Ｉ／Ｆ部１１２を介して行う。
【００６７】
図１４にて、映像表示装置１００は、ユーザからの補正テーブル切替操作指示を受け付ける（Ｓ２００）。なお、Ｓ２００の事前状態として、画質処理部１０３内の1D-LUT処理部には、補正テーブルとは異なる予め設定されたテーブルが設定されている。映像表示装置１００は、ユーザからの補正テーブル切替指示を受け付けると、メモリ部１０８から補正テーブルを読み出し、画質処理部１０３の予め設定されているテーブルと、前記補正テーブルを入れ替える（Ｓ２０１）。
【００６８】
以上に本実施例によれば、画像表示装置１００は、映像編集装置２００が行う色調整と、画像表示装置１００が行う色調整の処理の違いから発生する色のズレを補正する手段を内部に持つことで、多様な映像編集装置からの入力に対しても、容易に撮影工程と同じ絵を確認することができる。
【符号の説明】
【００６９】
１００  映像表示装置、１０１  内部バス、１０２  映像入力部、１０３  画質処理部、
１０４  映像出力部、１０５  表示パネル部、１０６  入力信号階調解析部、
１０７  出力信号階調解析部、１０８  補正テーブル生成部、１０９  メモリ部、
１１０  制御部、１１１  記録メディアＩ／Ｆ部、１１２  ユーザ操作Ｉ／Ｆ部、
１１３  色調整処理部、１１４  1D-LUT処理部、１１５  1D-LUT処理部、
１１６  1D-LUT処理部、１１７  色調整テーブル生成部
【図９】
2016208428.tif 000003
【図１０】
2016208428.tif 000004
【図１１】
2016208428.tif 000005
【図１４】
2016208428.tif 000006
【図１】
2016208428.tif 000007
【図２】
2016208428.tif 000008
【図３】
2016208428.tif 000009
【図４】
2016208428.tif 000010
【図５】
2016208428.tif 000011
【図６】
2016208428.tif 000012
【図７】
2016208428.tif 000013
【図８】
2016208428.tif 000014
【図１２】
2016208428.tif 000015
【図１３】
2016208428.tif 000016
【図１５】
2016208428.tif 000017
【図１６】
2016208428.tif 000018